(57)【特許請求の範囲】
【請求項１】
フレームと、
押離鍵操作により鍵支点を支点として先端が上下に揺動するように前記フレームに並列的に配設されたそれぞれ複数の白鍵及び黒鍵とを有し、
前記各鍵は、上面である押鍵面を有する上側部材と、該上側部材の下側に位置する下側部材とが接合面で接合されてなり、前記接合面のうち、当該鍵の両側面に現れる境界線である区分線が、非押鍵状態において後方にいくにつれて上方に傾斜しており、
少なくとも、前記白鍵の長手方向における前部の幅広部分の領域においては、前記白鍵の押鍵あがき状態において該白鍵の押鍵面を包含する仮想面を、非押鍵状態から押鍵あがき状態までの前記白鍵の先端のストロークの３０％分の距離だけ上方に平行移動させた第１仮想面に対して、前記区分線が上側に超えないように構成されていることを特徴とする電子楽器の鍵盤装置。
【請求項２】
少なくとも、前記白鍵の長手方向における前部の幅広部分の領域においては、前記白鍵の押鍵あがき状態において該白鍵の押鍵面を包含する仮想面を、非押鍵状態から押鍵あがき状態までの前記白鍵の先端のストロークの３０％分の距離だけ下方に平行移動させた第２仮想面に対して、前記区分線が上側に超えないように構成されていることを特徴とする請求項１記載の電子楽器の鍵盤装置。
【請求項３】
前記区分線は、前記白鍵の押鍵あがき状態において該白鍵の押鍵面を包含する仮想面に対して平行であることを特徴とする請求項１記載の電子楽器の鍵盤装置。
【請求項４】
前記区分線は、側面視において前記第１仮想面に一致していることを特徴とする請求項３記載の電子楽器の鍵盤装置。
【請求項５】
前記区分線は、前記白鍵の押鍵あがき状態において該白鍵の押鍵面を包含する仮想面に対して平行で且つ、側面視において前記第２仮想面に一致していることを特徴とする請求項２記載の電子楽器の鍵盤装置。
【請求項６】
前記白鍵については、前記幅広部分に対応する領域においてのみ、前記第１仮想面に対して、前記区分線が上側に超えないように構成されていることを特徴とする請求項１記載の電子楽器の鍵盤装置。
【請求項７】
前記白鍵については、前記幅広部分に対応する領域においてのみ、前記第２仮想面に対して、前記区分線が上側に超えないように構成されていることを特徴とする請求項２記載の電子楽器の鍵盤装置。
【請求項８】
前記各鍵の、前記上側部材の両側面と下面とがなす稜線及び前記下側部材の両側面と上面とがなす稜線の、少なくとも一方が、正面視において曲面に形成されていることを特徴とする請求項１〜７のいずれか１項に記載の電子楽器の鍵盤装置。
【請求項９】
フレームと、
押離鍵操作により鍵支点を支点として先端が上下に揺動するように前記フレームに並列的に配設されたそれぞれ複数の白鍵及び黒鍵とを有し、
前記各鍵は、上面である押鍵面を有する成形品でなる部分を少なくとも有し、成形によって当該鍵の両側面に生じているパーティングラインである区分線が、非押鍵状態において後方にいくにつれて上方に傾斜しており、
少なくとも、前記白鍵の長手方向における前部の幅広部分の領域においては、前記白鍵の押鍵あがき状態において該白鍵の押鍵面を包含する仮想面を、非押鍵状態から押鍵あがき状態までの、前記白鍵の先端のストロークの３０％分の距離だけ上方に平行移動させた第１仮想面に対して、前記区分線が上側に超えないように構成されていることを特徴とする電子楽器の鍵盤装置。
【請求項１０】
少なくとも、前記白鍵の長手方向における前部の幅広部分の領域においては、前記白鍵の押鍵あがき状態において該白鍵の押鍵面を包含する仮想面を、非押鍵状態から押鍵あがき状態までの前記白鍵の先端のストロークの３０％分の距離だけ下方に平行移動させた第２仮想面に対して、前記区分線が上側に超えないように構成されていることを特徴とする請求項９記載の電子楽器の鍵盤装置。
【請求項１１】
前記各鍵の前記押鍵面を有する成形品でなる部分は上側部材であり、前記各鍵は、前記上側部材と該上側部材の下側に位置する下側部材とが接合面で接合されてなり、前記パーティングラインである前記区分線は、前記上側部材の両側面に生じていることを特徴とする請求項９または１０記載の電子楽器の鍵盤装置。
【発明の詳細な説明】
【技術分野】
【０００１】
本発明は、側面に、上側部材と下側部材との接合面また成形によるパーティングラインが現れる鍵構造を有する電子楽器の鍵盤装置に関する。
【背景技術】
【０００２】
近年、電子楽器において外観にこだわった商品が増加し、鍵盤装置にも、木製化や象牙調、黒檀調をセールスポイントとしたものが増えている。こうした外観へのこだわりに対し、従来、アコースティックピアノの鍵盤をそのまま流用した鍵盤装置もあったが、これらは、電子楽器としてのコンパクトで比較的廉価であるというニーズに応えられないという問題があった。そこで、最近は鍵盤のハイブリッド化という設計が活発になってきた。
【０００３】
すなわち、主に目や手に触れる外観部を構成する上側部材と、鍵の動作機能を実現する内部機構を構成する下側部材とを、異なる素材で構成し、これらを合体させて、従来のピアノ鍵盤の外観や触感の品質を保ちつつ、コンパクトで、調整不要な高い精度、及びローコストを実現するというものである。
【０００４】
具体的には、下記特許文献１では、鍵が、木材で構成された鍵盤板（下部材）の上面に、下端が開放された中空の黒鍵下端部が接着されて構成される。
【０００５】
また、下記特許文献２では、鍵構造体が、機能部を有する樹脂製の鍵ベース体と、その上に位置する木質部と、さらに該木質部の上面及び前面を覆い操作面を形成する樹脂製の上板体とからなる。
【０００６】
また、下記特許文献３では、鍵構造体が、発泡樹脂製の白鍵用、黒鍵用の各シャンク部に、樹脂製の白鍵、黒鍵キャップを被せて構成される。
【特許文献１】実用新案登録第２５６２９９９号公報
【特許文献２】特許第３７５８５９０号公報
【特許文献３】特開昭５４−８７２０７号公報
【発明の開示】
【発明が解決しようとする課題】
【０００７】
しかしながら、上記特許文献１、２においては、側面に現れる上側の部材と下側の部材との境界線が、隣接する白鍵が押鍵されたときに露出し、演奏者の指が触れ得る状態となる。ここで、上側の部材と下側の部材とを接合する際に、部品公差や取付上のばらつき等によって、両者の鍵並び方向の位置を完全に一致させることは困難であり、また、環境による寸法変化も生じ得る。そのため、上記境界線は、通常、段差となって現れる。
【０００８】
従って、そのままでは、外観を損なうだけでなく、演奏時に指が引っかかり安全性を損なうおそれがあるので、段差をなくすように、鍵側面のフライス加工及びバフがけ等の後処理が必要となり、コストアップの大きな要因となる。
【０００９】
また、上記特許文献３においては、上側の部材である鍵キャップと下側の部材であるシャンク部との境目位置を十分に低く設定すれば、演奏時に指が接触することがなく安全を確保できる。しかし、ハイブリッド化の目的としては、上側の部材は、外観や質感を向上させるために、上側の部材には、下側の部材とは異なる高価な素材を採用することが多く、その使用比率が高いとコスト高を招く。
【００１０】
一方、鍵の本体部が樹脂の成形品として構成される場合においても、通常、鍵側面における上側部分と下側部分との境目に、成形時に生じるパーティングラインが現れる。このパーティングラインも、通常、鍵側面において突出しているので、安全確保のためには、上記のような後処理が必要となり、コスト上昇の要因となる。
【００１１】
本発明は上記従来技術の問題を解決するためになされたものであり、その目的は、鍵側面の後処理を必要とすることなく演奏時の安全を確保して、コンパクトで製造コストの低い鍵を実現することができる電子楽器の鍵盤装置を提供することにある。
【課題を解決するための手段】
【００１２】
上記目的を達成するために本発明の請求項１の電子楽器の鍵盤装置は、フレーム（１０）と、押離鍵操作により鍵支点（１５）を支点として先端（２０ｃ、３０ｃ）が上下に揺動するように前記フレームに並列的に配設されたそれぞれ複数の白鍵（２０）及び黒鍵（３０）とを有し、前記各鍵は、上面である押鍵面（２０ｂ、３０ｂ）を有する上側部材（２１、３１）と、該上側部材の下側に位置する下側部材（２２、３２）とが接合面（Ｓ０）で接合されてなり、前記接合面のうち、当該鍵の両側面（２０ａ、３０ａ）に現れる境界線（２３、３３）である区分線が、非押鍵状態において後方にいくにつれて上方に傾斜しており、少なくとも、前記白鍵の長手方向における前部の幅広部分の領域（２０ｘ）においては、前記白鍵の押鍵あがき状態において該白鍵の押鍵面を包含する仮想面を、非押鍵状態から押鍵あがき状態までの前記白鍵の先端のストローク（ＳＴ）の３０％分の距離だけ上方に平行移動させた第１仮想面（ｓ１）に対して、前記区分線が上側に超えないように構成されていることを特徴とする。
【００１３】
好ましくは、少なくとも、前記白鍵の長手方向における前部の幅広部分の領域においては、前記白鍵の押鍵あがき状態において該白鍵の押鍵面を包含する仮想面を、非押鍵状態から押鍵あがき状態までの前記白鍵の先端のストロークの３０％分の距離だけ下方に平行移動させた第２仮想面（ｓ２）に対して、前記区分線が上側に超えないように構成される（請求項２）。
【００１４】
好ましくは、前記区分線は、前記白鍵の押鍵あがき状態において該白鍵の押鍵面を包含する仮想面（ｓＡ）に対して平行である（請求項３）。
【００１５】
好ましくは、前記区分線は、側面視において前記第１仮想面に一致している（請求項４）。
【００１６】
好ましくは、前記区分線は、前記白鍵の押鍵あがき状態において該白鍵の押鍵面を包含する仮想面に対して平行で且つ、側面視において前記第２仮想面に一致している（請求項５）。
【００１７】
好ましくは、前記白鍵については、前記幅広部分に対応する領域においてのみ、前記第１仮想面に対して、前記区分線が上側に超えないように構成されている（請求項６）。
【００１８】
好ましくは、前記白鍵については、前記幅広部分に対応する領域においてのみ、前記第２仮想面に対して、前記区分線が上側に超えないように構成される（請求項７）。
【００１９】
好ましくは、前記各鍵の、前記上側部材（２１、３１）の両側面（２１ｂ、３１ｂ）と下面（２１ａ、３１ａ）とがなす稜線（Ｒ１）及び前記下側部材（２２、３２）の両側面（２２ｂ、３２ｂ）と上面（２２ａ、３２ａ）とがなす稜線（Ｒ２）の、少なくとも一方が、正面視において曲面に形成されている（請求項８）。
【００２０】
上記目的を達成するために本発明の請求項９の電子楽器の鍵盤装置は、フレームと、押離鍵操作により鍵支点を支点として先端が上下に揺動するように前記フレームに並列的に配設されたそれぞれ複数の白鍵及び黒鍵とを有し、前記各鍵は、上面である押鍵面を有する成形品でなる部分（２４、３４）を少なくとも有し、成形によって当該鍵の両側面に生じているパーティングライン（２６、３６）である区分線が、非押鍵状態において後方にいくにつれて上方に傾斜しており、少なくとも、前記白鍵の長手方向における前部の幅広部分の領域においては、前記白鍵の押鍵あがき状態において該白鍵の押鍵面を包含する仮想面（ｓＡ）を、非押鍵状態から押鍵あがき状態までの、前記白鍵の先端のストロークの３０％分の距離だけ上方に平行移動させた第１仮想面（ｓ１）に対して、前記区分線が上側に超えないように構成されていることを特徴とする。
【００２１】
好ましくは、少なくとも、前記白鍵の長手方向における前部の幅広部分の領域においては、前記白鍵の押鍵あがき状態において該白鍵の押鍵面を包含する仮想面を、非押鍵状態から押鍵あがき状態までの前記白鍵の先端のストロークの３０％分の距離だけ下方に平行移動させた第２仮想面（ｓ２）に対して、前記区分線が上側に超えないように構成される（請求項１０）。
【００２２】
好ましくは、前記各鍵の前記押鍵面を有する成形品でなる部分は上側部材であり、前記各鍵は、前記上側部材と該上側部材の下側に位置する下側部材とが接合面で接合されてなり、前記パーティングラインである前記区分線は、前記上側部材の両側面に生じている（請求項１１）。
【００２３】
なお、上記括弧内の符号は例示である。
【発明の効果】
【００２４】
本発明の請求項１、９によれば、鍵側面の後処理を必要とすることなく演奏時の安全を確保して、コンパクトで製造コストの低い鍵を実現することができる。
【００２５】
請求項２、１０によれば、鍵の外観を向上させることができる。
【００２６】
請求項３によれば、区分線を極力上方に位置させることが可能となり、上側部材に高価な素材を適用する場合は、上側部材の素材の使用比率を最小限に抑えてコストを低減することができる。
【００２７】
請求項４、５によれば、上側部材に高価な素材を適用する場合は、上側部材の素材の使用比率を最小限に抑えてコストを低減することができる。
【００２８】
請求項６によれば、実質的に必要な範囲でのみ区分線の位置を規定するので、最低限の安全を確保すると共に、上側部材に高価な素材を適用する場合は、上側部材の素材の使用比率を最小限に抑えてコストを低減することができる。
【００２９】
請求項７によれば、実質的に必要な範囲でのみ区分線の位置を規定するので、最低限の良好な外観を確保すると共に、上側部材に高価な素材を適用する場合は、上側部材の素材の使用比率を最小限に抑えてコストを低減することができる。
【００３０】
請求項８によれば、鍵側面の後処理を必要とすることなく演奏時の安全を確保して、コンパクトで製造コストの低い鍵を実現することができる。
【発明を実施するための最良の形態】
【００３１】
以下、本発明の実施の形態を図面を参照して説明する。
【００３２】
（第１の実施の形態）
図１は、本発明の第１の実施の形態に係る電子楽器の鍵盤装置の模式的な縦断面図である。同図は、非押鍵状態を示す。以降、本鍵盤装置の奏者側（図１の左方）を「前方」と呼称する。左右方向については、奏者側からみた方向を基準とする。
【００３３】
本鍵盤装置において、フレーム１０には、それぞれ複数の白鍵２０及び黒鍵３０が並列的に配設支持される。各鍵２０、３０の前半部下部には、側面視Ｌ字状の垂下係止部２９が垂下して設けられ、それの後方にはさらに、アクチュエータ２８が設けられる。
【００３４】
各鍵２０、３０は、それらの上面である押鍵面２０ｂ、３０ｂが押離鍵操作され、後部の鍵支点１５を支点として、フレーム１０に対して、各々の先端２０ｃ、３０ｃが上下方向に揺動自在になっている。図示はしないが、各鍵２０、３０は、バネ等の付勢手段によって、鍵支点１５を支点として、先端２０ｃ、３０ｃが上方に常に付勢されている。各白鍵２０同士及び各黒鍵３０同士の構成は同様である。
【００３５】
フレーム１０の前半部には、それぞれフェルト等の弾性部材でなる押鍵ストッパ１４及び離鍵ストッパ１３が設けられている。非押鍵状態においては、各鍵２０、３０の垂下係止部２９が離鍵ストッパ１３と当接して、各鍵２０、３０の往方向の揺動初期位置が規定される。一方、押鍵終了状態においては、各鍵２０、３０の下面が押鍵ストッパ１４と当接して、各鍵２０、３０の往方向の揺動終了位置が規定される。
【００３６】
また、フレーム１０に設けられる基板１１上に、各鍵２０、３０に対応して鍵スイッチ１２が設けられる。鍵スイッチ１２は、対応する鍵２０、３０によって押圧され、キーベロシティを含む鍵動作を検出する。その検出結果に基づいて、不図示の楽音制御部によって楽音制御がなされる。
【００３７】
非押鍵状態においては、各鍵２０、３０の押鍵面２０ｂ同士及び押鍵面３０ｂ同士は、面一に揃っている。白鍵２０は、非押鍵状態から押鍵終了状態に遷移する行程において、白鍵２０の先端２０ｃが下方に移動変位する。特に、押鍵終了状態のうち、「押鍵あがき状態」までの変位量であるストロークを「あがきストロークＳＴ」と記す。
【００３８】
押鍵終了状態においては、押鍵強さによって、押鍵ストッパ１４の沈み込み量が異なり、従って、ストロークを一意に定義できない。そこで、「あがきストロークＳＴ」を、押鍵面２０ｂの所定の位置に対して押鍵方向に所定の荷重（例えば、３Ｎ（ニュートン））を加えた場合における、非押鍵状態からの先端２０ｃの上下方向の変位量と定義する。
【００３９】
このあがきストロークＳＴは、押鍵往行程において白鍵２０が押鍵ストッパ１４に初めて当接するまでのストロークより大きく、適切な演奏において想定され得る最も強い押鍵力で押鍵された場合におけるストロークよりは小さい。押鍵あがき状態における白鍵２０の押鍵面２０ｂを包含する仮想面を「仮想面ｓＡ」と記す。仮想面ｓＡを、あがきストロークＳＴの３０％分の距離Ｄ１だけ上方に平行移動させた面を「第１仮想面ｓ１」と記す。逆に、仮想面ｓＡを、あがきストロークＳＴの３０％分の距離Ｄ２だけ下方に平行移動させた面を「第２仮想面ｓ２」と記す。
【００４０】
白鍵２０の幅はグランドピアノと同じとし、隣接する白鍵２０間の隙間は１ｍｍであるとする。あがきストロークＳＴは１５ｍｍ程度であるので、その３０％分の距離である距離Ｄ１、Ｄ２は、共に３ｍｍ程度である。
【００４１】
図２（ａ）、（ｂ）は、それぞれ、本実施の形態における１つの白鍵２０、１つの黒鍵３０の側面図である。
【００４２】
白鍵２０は、互いに材質が異なる上側部材２１と下側部材２２とが、接合面Ｓ０で接着等によって接合されて構成される、いわゆるハイブリッド鍵である。上記した鍵支点１５、垂下係止部２９及びアクチュエータ２８等の鍵機能部は、すべて下側部材２２に設けられる。
【００４３】
上側部材２１は、押鍵面２０ｂを提供すると共に、専ら外観となって視認されるので、一般的な樹脂一体成形の鍵に適用される素材や、下側部材２２に比し高価な人工象牙等の素材が採用される。これにより、アコースティックピアノの鍵盤をそのまま流用する鍵に比しコンパクトでありながら、触感や外観が向上する。しかし、コストアップを抑制するためには、白鍵２０における高価な素材の使用比率をできるだけ低く抑えたい。また、安全性も確保したい。そこで、本実施の形態では、接合面Ｓ０の位置について、工夫を施している。
【００４４】
黒鍵３０についても、互いに材質が異なる上側部材３１と下側部材３２とが、接合面Ｓ０で接着等によって接合されて構成され、上側部材３１には、下側部材３２よりも高価な黒檀等の素材が採用される。
【００４５】
接合面Ｓ０は、白鍵２０、黒鍵３０の各両側面２０ａ、３０ａにおいて、区分線である境界線２３、３３として現れる。上側部材２１、３１と下側部材２２、３２との鍵並び方向の位置を完全に一致させることは困難であるので、境界線２３、３３は、厳密には、両側面２０ａ、３０ａにおいて段差となって現れる。
【００４６】
本実施の形態では、境界線２３、３３は、非押鍵状態において後方にいくにつれて上方に傾斜している。ここで、接合面Ｓ０のうち、上側部材２１、３１の後端と下側部材２２、３２との間のような前後関係の対向面は、接合されていなくてもよい。仮に、接合されていたとしても、接合面Ｓ０の位置についての工夫は、あくまで、上側部材２１、３１の各下面２１ａ、３１ａと下側部材２２、３２の上面２２ａ、３２ａとの間の境界線２３、３３（定義するならば、垂直よりも水平に近い境界線）について適用される。
【００４７】
図２（ａ）、（ｂ）に示すように、白鍵２０、黒鍵３０においては、境界線２３、３３は、仮想面ｓＡ及び第１仮想面ｓ１（図１参照）に平行であって、第１仮想面ｓ１を超えないように設定されている。
【００４８】
境界線２３、３３が、第１仮想面から仮想面ｓＡまでの間にある場合は、白鍵２０を押鍵すると、その白鍵２０に隣接する押鍵されていない白鍵２０または黒鍵３０の境界線２３、３３が視認される程度に現れることになる。ところが、人の指の先端は丸みを帯びていて、上記隣接する押鍵されていない白鍵２０、黒鍵３０の各側面２０ａ、３０ａにふれる位置は、境界線２３、３３よりも３ｍｍ以上、上方となる。そのため、境界線２３、３３に指が触れることがなく、仮に境界線２３、３３が段差状になっていたとしても、指にひっかかることがなく、安全は確保される。
【００４９】
本実施の形態によれば、鍵２０、３０の各側面２０ａ、３０ａのフライスやバフ等の後処理をしなくても、演奏時の安全を確保できるので、コンパクトで製造コストの低い鍵を実現することができる。
【００５０】
また、境界線２３、３３は、仮想面ｓＡ（乃至第１仮想面ｓ１）に平行であるので、境界線２３、３３を極力上方に位置させることが可能となり、高価な上側部材２１、３１の使用比率を最小限に抑えてコストを低減することができる。
【００５１】
なお、境界線２３、３３は、仮想面ｓＡに対して厳密に平行である必要はなく、後方にいくにつれて上方に傾斜していれば、仮想面ｓＡに対して平行に近くできるので、コスト低減に有利となる。材料費低減の観点に限れば、側面視において、境界線２３、３３を第１仮想面ｓ１と一致させるのが最もよい。
【００５２】
（第２の実施の形態）
図２（ｃ）、（ｄ）は、本発明の第２の実施の形態に係る電子楽器の鍵盤装置に適用される白鍵、黒鍵を各１つ示す側面図である。本実施の形態では、白鍵２０は、ベース部材２５の上に成形部材２４が接着等によって固着されて構成される。黒鍵３０についても同様に、ベース部材３５の上に成形部材３４が固着されて構成される。上記した鍵支点１５、垂下係止部２９及びアクチュエータ２８等の鍵機能部は、すべてベース部材２５、３５に設けられる。ベース部材２５、３５の素材は問わない。成形部材２４、３４は、合成樹脂でなり、金型を用いた射出成形により製造される。
【００５３】
成形部材２４、３４は、可動金型が概ね上下方向に抜かれる手法で製造され、成形によって、パーティングライン２６、３６が生じる。このパーティングライン２６、３６が、鍵２０、３０の各両側面２０ａ、３０ａに区分線として現れる。本実施の形態では、パーティングライン２６、３６が、非押鍵状態において後方にいくにつれて上方に傾斜するように、鍵２０、３０が成形される。
【００５４】
そして、図２（ｃ）、（ｄ）に示すように、白鍵２０、黒鍵３０においては、パーティングライン２６、３６は、境界線２３、３３（図２（ａ）、（ｂ）参照）と同様に、仮想面ｓＡ及び第１仮想面ｓ１（図１参照）に平行であって、第１仮想面ｓ１を超えないように設定されている。
【００５５】
パーティングライン２６、３６は、一般に、両側面２０ａ、３０ａから突出することがある。しかし、上記のような位置設定により、演奏時に指にひっかかることがなく、安全は確保される。
【００５６】
本実施の形態によれば、鍵２０、３０の各側面２０ａ、３０ａの後処理をすることなく演奏時の安全を確保して、コンパクトで製造コストの低い鍵を実現することに関し、第１の実施の形態と同様の効果を奏することができる。
【００５７】
ちなみに、成形部材２４とベース部材２５との境界線２７、及び、成形部材３４とベース部材３５との境界線３７については、いずれも、第１仮想面ｓ１を超えないという条件は当然に満たす。従って、これらが、演奏時の触感や外観に悪影響を与えることはない。
【００５８】
なお、本実施の形態においては、白鍵２０、黒鍵３０は、成形部材２４、３４とベース部材２５、３５とを別体で構成したが、一体の成形品として構成してもよい。
【００５９】
［第１、第２の実施の形態の変形例］
図示はしないが、第１、第２の実施の形態において、境界線２３、３３、パーティングライン２６、３６の各位置は、第２仮想面ｓ２（図１参照）を超えないように構成してもよい。
【００６０】
隣接する白鍵２０間の隙間は１ｍｍであるが、このような構成とすると、押鍵時においても、隣接する鍵２０、３０の境界線２３、３３、乃至、パーティングライン２６、３６が、奏者に見えない。そのため、演奏時の鍵盤の外観を悪化させることがない。なお、材料費低減の観点に限れば、境界線２３、３３を、側面視において第２仮想面ｓ２に一致させてもよい。
【００６１】
ところで、境界線２３、３３、パーティングライン２６、３６の各位置の設定は、白鍵２０についてだけ適用してもよく、しかも、図３で説明するように、長手方向の全範囲に適用しなくてもよい。
【００６２】
図３（ａ）は、変形例における白鍵の平面図、図３（ｂ）は、同変形例における白鍵の側面図である。白鍵２０は、長手方向における前部において幅広部分の領域である幅広領域２０ｘを有する。各白鍵２０は対応する音名によって形状は異なるが、いずれも幅広領域２０ｘを有している。幅広領域２０ｘよりも後側は幅狭領域２０ｙである。
【００６３】
この変形例では、白鍵２０の側面２０ａに現れる境界線２３のうち、幅広領域２０ｘに対応する幅広部境界線２３Ａと幅狭領域２０ｙに対応する幅狭部境界線２３Ｂとが一直線となっていない。幅広部境界線２３Ａは、押鍵あがき状態で仮想面ｓＡ（図１参照）に平行であって、第１仮想面ｓ１（図１参照）を超えないように設定されている。幅狭部境界線２３Ｂについては、どの位置にしてもよいが、図３（ｂ）に示すように、あえて第１仮想面ｓ１を大きく超えるように設定する。
【００６４】
これにより、白鍵２０については、実質的に必要な範囲でのみ境界線２３の位置を規定するので、高価な上側部材２１の素材使用比率を最小限に抑えてコストを低減することができる。しかも、幅広領域２０ｘは、押鍵頻度が非常に高い領域である。従って、少なくとも幅広領域２０ｘにおいて、境界線２３の第１仮想面ｓ１との相対的位置を上記のように規定することで、安全性は確保される。
【００６５】
なお、図３（ａ）、（ｂ）の例では、境界線２３Ａの第１仮想面ｓ１との相対的位置の規定を例示したが、幅広領域２０ｘは、側面２０ａが目に付きやすい領域でもある。従って、境界線２３Ａがさらに、第２仮想面ｓ２を超えないように構成してもよい。これにより、演奏時の外観の悪化を回避することができる。
【００６６】
結局、最低限の安全性を確保する観点からは、白鍵２０については、少なくとも幅広領域２０ｘにおいて、境界線２３の、第１仮想面ｓ１との相対的位置関係を上記した（第１の実施の形態及びその変形例で説明した）ように規定すればよい。さらに、最低限の良好な外観を確保する観点からは、白鍵２０については、少なくとも幅広領域２０ｘにおいて、境界線２３の、第２仮想面ｓ２との相対的位置関係を上記した（第１の実施の形態及びその変形例で説明した）ように規定すればよい。これらの相対的位置関係には、第１仮想面ｓ１、第２仮想面ｓ２を超えないという構成のほか、一致させたり、平行であったりという構成も含まれる。
【００６７】
また、白鍵２０のパーティングライン２６（図２（ｃ）参照）についても、少なくとも幅広領域２０ｘにおいて、第１仮想面ｓ１、あるいは第２仮想面ｓ２との相対的位置関係を、境界線２３と同様に規定するようにしてもよい。
【００６８】
なお、第１の実施の形態において、上側部材２１、３１と下側部材２２、３２との接合面Ｓ０（図２（ａ）、（ｂ）参照）自体は、平坦な面に限られない。平坦でない場合であっても、白鍵２０、黒鍵３０の各両側面２０ａ、３０ａに現れる境界線２３、３３について、第１仮想面ｓ１、第２仮想面ｓ２との相対的位置関係を論じればよい。
【００６９】
なお、図４に説明するように、第１の実施の形態において、上側部材２１、３１と下側部材２２、３２とに、Ｒ付けを行ってよい。
【００７０】
図４（ａ）は、図２（ａ）のＡ−Ａ線に沿う断面図である。図４（ｂ）は、図２（ｂ）のＢ−Ｂ線に沿う断面図である。例えば、白鍵２０については、図４（ａ）に示すように、上側部材２１の両側面２１ｂと下面２１ａとがなす左右の稜線Ｒ１を、正面視において曲面で形成する。黒鍵３０についても同様で、下側部材２２の、両側面２２ｂと上面２２ａとがなす稜線Ｒ２を、曲面で形成する。また、図４（ｂ）に示すように、上側部材３１の両側面３１ｂと下面３１ａとがなす左右の稜線Ｒ１、下側部材３２の両側面３２ｂと上面３２ａとがなす稜線Ｒ２を、いずれも曲面で形成する。曲面形成処理は、接合前の、例えば、成形時に行うか、あるいは成形後の後加工で行ってもよい。
【００７１】
このように、エッジ部をなくすことで、側面２１ｂ、３１ｂの後処理を必要とすることなく、押鍵時に指等が境界線２３、３３に引っかかることを一層抑制することができる。
【００７２】
なお、境界線２３、３３は、第１仮想面ｓ１を超えないことで、安全は確保されているので、図４（ａ）、（ｂ）に示す稜線Ｒ１、Ｒ２の曲面形成は、必須ではない。また、稜線Ｒ１、Ｒ２のいずれか一方のみ、あるいは、左右の稜線Ｒ１、Ｒ２のうち、側方に突出した側の稜線Ｒ１、Ｒ２のみを曲面形状に形成してもよい。
【図面の簡単な説明】
【００７３】
【図１】本発明の第１の実施の形態に係る電子楽器の鍵盤装置の模式的な縦断面図である。
【図２】第１の実施の形態における１つの白鍵、１つの黒鍵の側面図（図（ａ）、（ｂ））、本発明の第２の実施の形態に係る電子楽器の鍵盤装置に適用される白鍵、黒鍵を各１つ示す側面図（図（ｃ）、（ｄ））である。
【図３】変形例における白鍵の平面図（図（ａ））、同変形例における白鍵の側面図（図（ｂ））である。
【図４】図２（ａ）のＡ−Ａ線に沿う断面図（図（ａ））、図２（ｂ）のＢ−Ｂ線に沿う断面図（図（ｂ））である。
【符号の説明】
【００７４】
１０  フレーム、  １５  鍵支点、  ２０  白鍵、  ３０  黒鍵、  ２０ｃ、３０ｃ  先端、  ２０ａ、３０ａ  側面、  ２０ｂ、３０ｂ  押鍵面、  ２０ｘ  幅広領域、  ２１、３１  上側部材、  ２１ａ、３１ａ  下面、  ２２、３２  下側部材、  ２２ａ、３２ａ  上面、  ２３、３３  境界線（区分線）、  ２４、３４  成形部材、  ２６、３６  パーティングライン（区分線）、  Ｓ０  接合面、  ＳＴ  あがきストローク、  ｓＡ  仮想面、  ｓ１  第１仮想面、  ｓ２  第２仮想面、  Ｒ１、Ｒ２  稜線
【図１】
0005098606.tif 000002
【図２】
0005098606.tif 000003
【図３】
0005098606.tif 000004
【図４】
0005098606.tif 000005